(57)【要約】【課題】陳列室の冷却性能を向上させることが可能なショーケースを提供する。【解決手段】ショーケースは、陳列室を有する筐体と、左右の両端部のうち一方側の端部を中心に回動することで開閉する透明扉と、透明扉の左右の両端部のうち他方側の端部に設けられ、透明扉が閉じた際に、他方側の端部と対向する対向部分に接触する弾性部材と、を備える。【選択図】図１
2019136298.tif 000002
【特許請求の範囲】
【請求項１】
陳列室を有する筐体と、
左右の両端部のうち一方側の端部を中心に回動することで開閉する透明扉と、
前記透明扉の前記左右の両端部のうち他方側の端部に設けられ、前記透明扉が閉じた際に、前記他方側の端部と対向する対向部分に接触する弾性部材と、
を備えるショーケース。
【請求項２】
前記弾性部材の表面が、曲面である、
請求項１に記載のショーケース。
【請求項３】
前記筐体には、前記陳列室の上下の縁に沿って密閉部材が配置され、
前記弾性部材は、前記透明扉が閉じた際に、前記密閉部材に接触する、
請求項１または請求項２に記載のショーケース。
【請求項４】
前記透明扉は、前記筐体の左右方向に並んで複数配置され、
複数の透明扉のうち、第１透明扉の弾性部材は、前記第１透明扉と前記他方側で隣接する第２透明扉の端部と接触する、
請求項１〜３の何れか１項に記載のショーケース。
【請求項５】
前記対向部分には、前記弾性部材とは別の弾性部材が設けられている、
請求項１〜４の何れか１項に記載のショーケース。
【発明の詳細な説明】
【技術分野】
【０００１】
本開示は、ショーケースに関する。
【背景技術】
【０００２】
商品を陳列する冷蔵用のオープンショーケースには、商品の陳列室を有する筐体と、当該陳列室の内外とを隔てる扉とが設けられる。このような扉としては、ガラスに枠体を設けたものが一般的に知られている（例えば、特許文献１参照）。
【先行技術文献】
【特許文献】
【０００３】
【特許文献１】特開２０１７−１２７３５４号公報
【発明の概要】
【発明が解決しようとする課題】
【０００４】
ところで、陳列室内の視認性を向上させる観点から、枠体を可能な限り省いた扉をショーケースに取り付けることが考えられる。しかしながら、扉から可能な限り枠体を省いた場合、枠体のない扉と扉との間に隙間が生じやすくなり、陳列室の冷却性能が低下してしまうおそれがあった。
【０００５】
本開示の目的は、陳列室の冷却性能を向上させることが可能なショーケースを提供することである。
【課題を解決するための手段】
【０００６】
本開示に係るショーケースは、
陳列室を有する筐体と、
左右の両端部のうち一方側の端部を中心に回動することで開閉する透明扉と、
前記透明扉の前記左右の両端部のうち他方側の端部に設けられ、前記透明扉が閉じた際に、前記他方側の端部と対向する対向部分に接触する弾性部材と、
を備える。
【発明の効果】
【０００７】
本開示によれば、陳列室の冷却性能を向上させることができる。
【図面の簡単な説明】
【０００８】
【図１】本開示の実施の形態に係るショーケースの斜視図である。
【図２】本実施の形態に係るショーケースの隣接する２つの扉を示す図である。
【図３】図２におけるＡ−Ａ線で切った断面図である。
【発明を実施するための形態】
【０００９】
以下、本開示の実施の形態を図面に基づいて詳細に説明する。図１は、本開示の実施の形態に係るショーケースの斜視図である。なお、図１では、図１における左斜め下側を「前」とし、右斜め上側を「後」とし、左斜め上側を「左」とし、右斜め下側を「右」とする。また、図１における上下方向を「上下」とする。
【００１０】
図１に示すように、ショーケース１は、コンビニエンスストア等の店舗に据え付けられる冷蔵用のウォークインショーケースである。ショーケース１は、前面および後面の両方に開口する陳列室を有する筐体１Ａと、陳列室の各開口を開閉する透明扉１０とを備える。
【００１１】
透明扉１０は、左右方向において複数並んで配置されている。これらの透明扉１０が開閉されることで、ショーケース１内の陳列室から商品の出し入れを行うことが可能になっている。
【００１２】
ショーケース１における陳列室の周囲には、断熱壁等が設けられている。この断熱壁の一部には、冷却器からの冷気が通る冷却通路と連通する冷気吐出口が設けられている。この冷却通路には、送風機が設けられている。
【００１３】
送風機が運転されると、冷却器からの冷気が冷却通路を介して冷気吐出口から陳列室内に送り込まれて陳列室内に循環されることで、ショーケース１の陳列室内が所定温度に冷却される。
【００１４】
次に、透明扉１０の詳細構成について説明する。図２は、本実施の形態に係るショーケース１の隣接する２つの透明扉１０を示す図である。図３は、図２におけるＡ−Ａ線で切った断面図である。
【００１５】
図２に示すように、透明扉１０は、本体部１１と、取っ手部１２と、上端枠部１３と、下端枠部１４と、第１弾性部１５と、第２弾性部１６とを有する。
【００１６】
図２および図３に示すように、本体部１１は、２枚のガラス板１１Ａが接着剤Ｇにより接着されて構成されている。この接着剤Ｇによって、２枚のガラス板１１Ａにおける左右両端全体の隙間が埋められている。また、後述する上端枠部１３、下端枠部１４によって、本体部１１の上端部および下端部が閉塞されることで、２枚のガラス板１１Ａの間には真空空間１１Ｂが形成される。これにより、本体部１１における断熱性能を向上させることができる。
【００１７】
また、２枚のガラス板１１Ａの間には、図示しないスペーサが配置される。これにより、２枚のガラス板１１Ａが薄型であっても２枚のガラス板１１Ａの間の距離が確保され、真空空間１１Ｂが容易に形成される。なお、透明扉１０からスペーサを目立たなくするために、シェード材が設けられていても良い。
【００１８】
また、ガラス板１１Ａの厚みは、３ｍｍ程度とすることができ、２枚のガラス板１１Ａの間の距離は、ガラス板１１Ａの厚みに対して極めて微小な距離とすることができる。これにより、本体部１１全体の厚みが約６ｍｍとなるので、透明扉１０を比較的薄型で断熱性能の高いものとすることができる。
【００１９】
図２に示すように、取っ手部１２は、透明扉１０を開閉する際に使用者に把持される部分であり、本体部１１の左端部に取り付けられている。透明扉１０には、右端部（一方側の端部）に本体部１１を回動させる回動軸が設けられている。使用者が透明扉１０を開閉する際、取っ手部１２を把持することにより、透明扉１０は、回動軸（右端部）を中心に回動するようになっている。
【００２０】
上端枠部１３および下端枠部１４は、樹脂で構成されており、２枚のガラス板１１Ａの上端部全体および下端部全体にそれぞれ設けられている。上端枠部１３および下端枠部１４の裏側（陳列室側）には、第１磁石が設けられている。また、陳列室の上縁および下縁にも、第１磁石と吸着する第２磁石が設けられている。これにより、透明扉１０が陳列室を閉塞した際における透明扉１０の閉塞状態が維持されるようになっている。
【００２１】
第１弾性部１５および第２弾性部１６は、例えば、軟質アクリル樹脂等の弾性部材で構成されている。図３に示すように、第１弾性部１５は、本体部１１の左端部（他方側の端部）全体に設けられており、表面が円弧状の曲面となるように、右側に開口したＵ字状に形成されている。第１弾性部１５は、本開示の「弾性部材」に対応する。
【００２２】
第２弾性部１６は、本体部１１の右端部に設けられており、表面が円弧状の曲面となるように、左側に開口したＵ字状に形成されている。第２弾性部１６は、本開示の「接触部材」に対応する。
【００２３】
第１弾性部１５および第２弾性部１６は、２枚のガラス板１１Ａを挟むように図示しない接着剤等で本体部１１の前面および後面に固定されている。この際、第１弾性部１５および第２弾性部１６と、本体部１１との間には、空気層２０が形成される。
【００２４】
第１弾性部１５は、図３における右側の透明扉１０（以下、「第１透明扉１０Ａ」という）で陳列室を閉塞した際、当該第１透明扉１０Ａの左側で隣接する透明扉１０（以下、「第２透明扉１０Ｂ」という）の第２弾性部１６と接触する。言い換えると、第１弾性部１５は、第１透明扉１０Ａで陳列室を閉塞した際、第１透明扉１０Ａの左端部に対向する対向部分に接触する。
【００２５】
ここで、透明扉１０が第１弾性部１５を有さない構成の場合、第１透明扉１０Ａの左端部と、第２透明扉１０Ｂの右端部との間に隙間が生じるので、陳列室内の冷却性能が低下する。
【００２６】
本実施の形態では、第１透明扉１０Ａの第１弾性部１５と、第２透明扉１０Ｂの第２弾性部１６とが接触するため、第１透明扉１０Ａと第２透明扉１０Ｂとの間で隙間が生じることが防止され、ひいては陳列室の冷却性能を向上させることができる。
【００２７】
また、第１弾性部１５の表面が曲面であるので、第１透明扉１０Ａを閉じる際に、第２透明扉１０Ｂの第２弾性部１６に、第１弾性部１５がスムーズに接触させることができる。また、第１透明扉１０Ａを開く際に、第２透明扉１０Ｂの第２弾性部１６から第１弾性部１５をスムーズに脱離させることができる。これらのことにより、第１透明扉１０Ａを第２透明扉１０Ｂに対してスムーズに開閉することができる。
【００２８】
また、第１弾性部１５および第２弾性部１６と、本体部１１との間に空気層２０が形成されるので、この空気層２０を利用して、第１弾性部１５と第２弾性部１６とが接触する際に、第１弾性部１５と第２弾性部１６が弾性変形しやすくなる。
【００２９】
その結果、透明扉１０をスムーズに閉塞状態にしやすくできるとともに、透明扉１０の密閉性を向上させることができる。また、第２弾性部１６が第１透明扉１０Ａの左端部と対向するので、第１弾性部１５と第２弾性部１６とが互いに弾性変形することで、ショーケース１の密閉性をさらに向上させることができる。また、第１弾性部１５および第２弾性部１６の部分に空気層２０が形成されることで、当該部分における断熱性も向上する。
【００３０】
また、第１弾性部１５および第２弾性部１６が、本体部１１の後面に固定されていることから、当該後面より突出する。また、筐体１Ａにおける陳列室の上縁又は下縁には、陳列室の上縁又は下縁に沿う密閉部材の一例としてのパッキン１７が設けられている。
【００３１】
図２では、第１弾性部１５および第２弾性部１６の上端部および下端部まで上端枠部１３および下端枠部１４がそれぞれ延在して、上端枠部１３および下端枠部１４とパッキン１７とが接触する構成となっている。これによれば、上端枠部１３および下端枠部１４に複雑な加工が必要なく、設計が容易になる。
【００３２】
なお、上記実施の形態では、第１透明扉１０Ａの左端部と対向する対向部分として、第２透明扉１０Ｂの右端部を例示したが、本開示はこれに限定されず、筐体１Ａの側壁であっても良い。また、この場合、ショーケース１の密閉性向上の観点から、当該側壁部分に、第２弾性部１６のような接触部材を設けることが好ましい。
【００３３】
また、上記実施の形態では、第１弾性部１５の表面が、図３に示すような曲面を有していたが、本開示はこれに限定されず、当該表面が曲面でなくても良いし、曲面と平面とを含んでいても良い。
【００３４】
また、上記実施の形態では、パッキン１７と上端枠部１３および下端枠部１４とが接触していたが、本開示はこれに限定されず、これに加え、パッキン１７と第１弾性部１５および第２弾性部１６とが接触しても良い。例えば、本体部１１の後面より突出する第１弾性部１５、第２弾性部１６および上端枠部１３が、陳列室の上縁に沿うパッキン１７と接触し、陳列室の下縁では第１弾性部１５、第２弾性部１６および下端枠部１４が、陳列室の下縁に沿うパッキン１７と接触する。これにより、陳列室の上縁および下縁を密閉するので、ショーケース１の密閉性をさらに向上させることができる。
【００３５】
なお、陳列室の上縁と下縁とを密閉するため、パッキン１７側に対する第１弾性部１５および第２弾性部１６の厚みと、上端枠部１３および下端枠部１４の厚みとは略等しく、パッキン１７に対して平坦となる関係であることが望ましい。
【００３６】
また、第１弾性部１５は、透明扉１０を閉塞した際の左端部が、対向する対向部分に接触する程度の長さであるので、上端枠部１３や下端枠部１４のような樹脂製の枠部と比較して、当該長さを大幅に短くすることができる。その結果、透明扉１０から視認可能な陳列室の範囲が広がるので、ショーケース１における視認性を向上させることができる。
【００３７】
また、上記実施の形態では、透明扉１０が右端部を中心に回動する、いわゆる片開き式のショーケース１であったが、本開示はこれに限定されず、例えば、両開き式や観音開き式のショーケースであっても良い。
【００３８】
また、上記実施の形態では、ショーケース１がウォークインショーケースであったが、本開示はこれに限定されず、リーチインショーケースであっても良い。
【００３９】
その他、上記実施の形態は、何れも本開示を実施するにあたっての具体化の一例を示したものに過ぎず、これらによって本開示の技術的範囲が限定的に解釈されてはならないものである。すなわち、本開示はその要旨、またはその主要な特徴から逸脱することなく、様々な形で実施することができる。
【産業上の利用可能性】
【００４０】
本開示のショーケースは、陳列室の冷却性能を向上させることが可能なショーケースとして有用である。
【符号の説明】
【００４１】
１  ショーケース
１Ａ  筐体
１０  透明扉
１０Ａ  第１透明扉
１０Ｂ  第２透明扉
１１  本体部
１１Ａ  ガラス板
１１Ｂ  真空空間
１２  取っ手部
１３  上端枠部
１４  下端枠部
１５  第１弾性部
１６  第２弾性部
１７  パッキン
２０  空気層
【図１】
2019136298.tif 000003
【図２】
2019136298.tif 000004
【図３】
2019136298.tif 000005